(57)【要約】【課題】例え収納袋に収納エリアが狭いまま装着される形態異常があったとしても、硬貨が収納袋から溢れ出てしまうことを防止できる硬貨処理機の提供。【解決手段】硬貨収納部２４ａに、硬貨を収納する着脱可能な収納袋３０を備えており、硬貨収納部２４ａには、収納袋３０内の硬貨の満杯を検知する満杯検知手段５８と、収納袋３０の装着時に該収納袋３０の上部エリアＡの形状を矯正して該上部エリアＡ内に少なくとも一の取引における硬貨の最大限度収納容量を確保する矯正手段９８とが設けられている。【選択図】図４
2011022717.tif 000002
【特許請求の範囲】
【請求項１】
硬貨収納部に、硬貨を収納する着脱可能な収納袋を備えた硬貨処理機であって、
前記硬貨収納部には、
前記収納袋内の硬貨の満杯を検知する満杯検知手段と、
前記収納袋の装着時に該収納袋の上部エリアの形状を矯正して該上部エリア内に少なくとも一の取引における硬貨の最大限度収納容量を確保する矯正手段とが設けられていることを特徴とする硬貨処理機。
【請求項２】
前記満杯検知手段は、前記収納袋内の硬貨を検知する磁気センサであって、前記矯正手段の下端部近傍に配設されていることを特徴とする請求項１記載の硬貨処理機。
【請求項３】
前記硬貨収納部は、
前記収納袋の開口側を係止するベースと、
該ベースに係止された前記収納袋の開口に連通する投入口を有して前記収納袋を上側から覆う上蓋とを備え、
前記矯正手段が、前記上蓋に配設されていることを特徴とする請求項１または２記載の硬貨処理機。
【請求項４】
前記収納袋の開口側が前記硬貨収納部に適正に装着されているか否かを検出する装着状態検出手段を有することを特徴とする請求項１乃至３のいずれか一項記載の硬貨処理機。
【発明の詳細な説明】
【技術分野】
【０００１】
本発明は、収納袋に硬貨を収納する硬貨処理機に関する。
【背景技術】
【０００２】
硬貨処理機には、硬貨を計数した後に硬貨収納部に設けられた収納袋に収納するものがある。このような硬貨処理機は、例えば、百貨店やショッピングセンター等に設置されて、各店舗で発生した売上金を管理するために用いられるもので、変形容易な収納袋を用いることで、運搬や空の状態での保管等の自由度を高めるようになっている。
【先行技術文献】
【特許文献】
【０００３】
【特許文献１】特許第３６５８４９８号公報
【発明の概要】
【発明が解決しようとする課題】
【０００４】
しかしながら、上記のように収納袋を用いる場合、変形容易であることから逆に形状が一定せず、硬貨収納部への装着時に、例えば捻った状態で装着される等すると、収納エリアが狭いまま装着される形態異常を生じることがある。このような形態異常を生じると、本来収納されるべき硬貨の一部が入りきらずに収納袋から溢れ出てしまう可能性があった。
【０００５】
したがって、本発明は、例え収納袋に収納エリアが狭いまま装着される形態異常があったとしても、硬貨が収納袋から溢れ出てしまうことを防止できる硬貨処理機の提供を目的とする。
【課題を解決するための手段】
【０００６】
上記目的を達成するために、請求項１に係る発明は、硬貨収納部に、硬貨を収納する着脱可能な収納袋を備えた硬貨処理機であって、前記硬貨収納部には、前記収納袋内の硬貨の満杯を検知する満杯検知手段と、前記収納袋の装着時に該収納袋の上部エリアの形状を矯正して該上部エリア内に少なくとも一の取引における硬貨の最大限度収納容量を確保する矯正手段とが設けられていることを特徴としている。
【０００７】
請求項２に係る発明は、請求項１に係る発明において、前記満杯検知手段は、前記収納袋内の硬貨を検知する磁気センサであって、前記矯正手段の下端部近傍に配設されていることを特徴としている。
【０００８】
請求項３に係る発明は、請求項１または２に係る発明において、前記硬貨収納部は、前記収納袋の開口側を係止するベースと、該ベースに係止された前記収納袋の開口に連通する投入口を有して前記収納袋を上側から覆う上蓋とを備え、前記矯正手段が、前記上蓋に配設されていることを特徴としている。
【０００９】
請求項４に係る発明は、請求項１乃至３のいずれか一項に係る発明において、前記収納袋の開口側が前記硬貨収納部に適正に装着されているか否かを検出する装着状態検出手段を有することを特徴としている。
【発明の効果】
【００１０】
請求項１に係る発明によれば、収納袋を硬貨収納部に装着すると、例え収納エリアが狭いまま装着される形態異常があったとしても、矯正手段が、収納袋の上部エリアの形状を矯正して該上部エリア内に少なくとも一の取引における硬貨の最大限度収納容量を確保することになる。このため、満杯検知手段で収納袋内の硬貨の満杯が検知されない状態にあれば、満杯が検知される寸前の状態から、次の一の取引で最大限度収納容量の硬貨を収納袋に収納する場合であっても、硬貨が収納袋から溢れ出てしまうことを防止できる。
【００１１】
請求項２に係る発明によれば、満杯検知手段が、収納袋内の硬貨を検知する磁気センサであるため、形状が一定しない収納袋に対しても良好に硬貨の満杯状態を検知することができる。しかも、磁気センサが矯正手段の下端部近傍に配設されるため、矯正手段で磁気センサの近傍位置まで収納袋の形状を矯正でき、磁気センサ近傍の収納袋の形状を略一定にすることができ、その結果、磁気センサで一層確実に硬貨を検出することができる。
【００１２】
請求項３に係る発明によれば、収納袋の硬貨収納部への装着時に、ベースに係止された収納袋を上側から上蓋で覆うと、この上蓋に配設された矯正手段が、収納袋の上部エリアの形状を矯正することになる。よって、矯正手段による収納袋の矯正を、簡易に、収納袋の硬貨収納部への装着に連係させることができる。
【００１３】
請求項４に係る発明によれば、装着状態検出手段によって、収納袋の開口側が硬貨収納部に適正に装着されているか否かを検出することができるため、装着の異常によって、硬貨が収納袋に収納されずに、外に落下すること等を防止できる。
【図面の簡単な説明】
【００１４】
【図１】本発明の一実施形態に係る硬貨処理機を概略的に示す構成図である。
【図２】本発明の一実施形態に係る硬貨処理機の硬貨収納部を示す一部を断面とした正面図である。
【図３】本発明の一実施形態に係る硬貨処理機の硬貨収納部の要部を示す一部を断面とした拡大正面図である。
【図４】本発明の一実施形態に係る硬貨処理機の硬貨収納部の要部を示す一部を断面とした拡大側面図である。
【図５】本発明の一実施形態に係る硬貨処理機の硬貨収納部の要部を示す一部を断面とした拡大平面図である。
【図６】本発明の一実施形態に係る硬貨処理機の硬貨収納部の要部を示す一部を断面とした拡大側面図である。
【発明を実施するための形態】
【００１５】
本発明の一実施形態に係る硬貨処理機を図面を参照して以下に説明する。
【００１６】
図１に示すように、本実施形態に係る硬貨処理機１は、硬貨を入金させる硬貨入金機であり、その上部には、入金のため金種混合状態で一括投入された硬貨を一枚ずつ分離して搬送する分離供給部５が設けられている。この分離供給部５は、硬貨が一括投入されるホッパ６と、このホッパ６の下側にその底部を形成するように設けられた水平旋回可能な回転円盤７と、硬貨が一枚のみ通過可能な開口を有し回転円盤７の回転時の遠心力で硬貨を一枚ずつ繰り出す硬貨分離部８と、硬貨分離部８で一枚ずつ間隔をあけて繰り出された硬貨を水平に搬送する硬貨搬送部９とを有している。
【００１７】
また、硬貨処理機１には、硬貨搬送部９で搬送中の硬貨の真偽及び金種を識別し計数する識別部１１が硬貨搬送部９の上流側に設けられ、硬貨搬送部９におけるこの識別部１１の下流側には、識別部１１の識別結果に基づいて真以外の硬貨と識別されたリジェクト硬貨を排除するリジェクト部１２が設けられている。さらに、硬貨搬送部９におけるリジェクト部１２の下流側には、識別部１１の識別結果に基づいて真の硬貨であって受け入れ可能と識別された硬貨を金種別に振り分ける複数箇所、具体的には取扱金種数（日本国内では１円硬貨、５円硬貨、１０円硬貨、５０円硬貨、１００円硬貨および５００円硬貨の六種類）と同数の六箇所の振分部１３ａ〜１３ｆが硬貨搬送部９の搬送方向に沿ってこの順に設けられている。
【００１８】
これら振分部１３ａ〜１３ｆは、機体前後方向に並べられており、すべて、取り扱う最大径の硬貨（日本国内では５００円硬貨）を落下可能な選別孔１４ａ〜１４ｆを有していて、これらのうち上流側の五つの振分部１３ａ〜１３ｅには、選別孔１４ａ〜１４ｅを個別に開閉可能なシャッタ１５ａ〜１５ｅが設けられている。さらに、各振分部１３ａ〜１３ｆのそれぞれの上流側には、硬貨の通過を検出する硬貨センサ１６ａ〜１６ｆが設けられている。同様に、リジェクト部１２も、リジェクト孔１４ｇと、リジェクト孔１４ｇを開閉可能なシャッタ１５ｇと、上流側の硬貨センサ１６ｇとを有している。なお、硬貨センサ１６ａ〜１６ｇは、シャッタ１５ａ〜１５ｅ，１５ｇのうちの対応するものの開閉タイミングを制御するために用いられ、また、硬貨の搬送ジャムの有無を検出するために用いられる。ここで、選別孔１４ａ〜１４ｅを硬貨の搬送方向下流側のものほど幅が大きくなるようにすることでシャッタを設けずに硬貨を小径のものから順に落下させるようにして金種別に選別してもよい。
【００１９】
また、硬貨処理機１は、リジェクト部１２で硬貨搬送部９から排除された硬貨を受け入れる着脱自在のリジェクトボックス２０と、各振分部１３ａ〜１３ｆに一対一で対応して設けられ、各振分部１３ａ〜１３ｆで振り分けられた硬貨をそれぞれ個別に一時貯留させる複数箇所、具体的には振分部１３ａ〜１３ｆと同数である六箇所の一時貯留部２１ａ〜２１ｆとを有している。
【００２０】
なお、最も上流側の一時貯留部２１ａは、最も上流側の振分部１３ａの下方に設けられており、この振分部１３ａのシャッタ１５ａが開かれることで選別孔１４ａから落下された硬貨のみを受け入れて一時貯留させる。次の一時貯留部２１ｂは、振分部１３ｂの下方に設けられ、シャッタ１５ｂが開かれることで選別孔１４ｂから落下された硬貨のみを一時貯留させる。次の一時貯留部２１ｃは、振分部１３ｃの下方に設けられ、シャッタ１５ｃが開かれることで選別孔１４ｃから落下された硬貨のみを一時貯留させる。次の一時貯留部２１ｄは、振分部１３ｄの下方に設けられ、シャッタ１５ｄが開かれることで選別孔１４ｄから落下された硬貨のみを一時貯留させる。次の一時貯留部２１ｅは、振分部１３ｅの下方に設けられ、シャッタ１５ｅが開かれることで選別孔１４ｅから落下された硬貨のみを一時貯留させる。最も下流側つまり最も後側の一時貯留部２１ｆは、振分部１３ｆの下方に設けられ、選別孔１４ｆから落下された硬貨のみを一時貯留させる。
【００２１】
一時貯留部２１ａ〜２１ｆは、機体左右方向に水平移動可能な共通の側壁部形成体２２にそれぞれの側壁部が個別に形成されており、この側壁部形成体２２の下側に左右方向に水平移動可能に設けられた共通の底部形成体２３でそれぞれの下部開口部が開閉可能とされている。
【００２２】
一時貯留部２１ａ〜２１ｆは、その側壁部形成体２２および底部形成体２３が振分部１３ａ〜１３ｆの鉛直下方に位置する状態で、これら振分部１３ａ〜１３ｆからの硬貨を受け入れて一時貯留するものであり、この状態の一時貯留部２１ａ〜２１ｆの下方には、一時貯留部２１ａ〜２１ｆの硬貨を金種別に収納する硬貨収納部２４ａ〜２４ｆが設けられている。
【００２３】
一時貯留部２１ａ〜２１ｆは、振分部１３ａ〜１３ｆからの硬貨を受け入れた状態から底部形成体２３のみを水平移動させると、一時貯留部２１ａに一時貯留されていた硬貨のみを硬貨収納部２４ａに、一時貯留部２１ｂに一時貯留されていた硬貨のみを硬貨収納部２４ｂに、一時貯留部２１ｃに一時貯留されていた硬貨のみを硬貨収納部２４ｃに、一時貯留部２１ｄに一時貯留されていた硬貨のみを硬貨収納部２４ｄに、一時貯留部２１ｅに一時貯留されていた硬貨のみを硬貨収納部２４ｅに、一時貯留部２１ｆに一時貯留されていた硬貨のみを硬貨収納部２４ｆに、それぞれ収納することになる。
【００２４】
なお、一時貯留部２１ａ〜２１ｆは、一時貯留させていた硬貨を上記した硬貨収納部２４ａ〜２４ｆに収納する状態以外に、振分部１３ａ〜１３ｆからの硬貨を受け入れた状態から側壁部形成体２２のみを水平移動させることで、硬貨を機外に返却するための図示略の返却部に硬貨を放出するようになっている。
【００２５】
次に、硬貨収納部２４ａ〜２４ｆについて説明する。硬貨収納部２４ａ〜２４ｆは、硬貨処理機１の図示略の側面の側部扉を開いた状態で外側に引き出されて硬貨の取り出し回収等が行われるものである。なお、硬貨収納部２４ａ〜２４ｆは同様の構成であるため、以下に一つの硬貨収納部２４ａを例にとり、図２〜図６を参照して説明する。
【００２６】
図２は、硬貨収納部２４ａを、引き出し手前側から見た正面図である。硬貨収納部２４ａは、硬貨を収納する着脱可能な布製の麻袋等の収納袋３０と、この収納袋３０が吊り下げ状態で配設される硬貨収納部本体３１とからなっている。
【００２７】
硬貨収納部本体３１は、その上部にあって収納袋３０を支持する収納袋支持部３４と、収納袋支持部３４の下側にあって収納袋支持部３４に支持された収納袋３０を収容する収納袋収容部３５とを有している。
【００２８】
収納袋収容部３５は、機体前後方向（図２の左右方向）に対し直交する姿勢で機体前後方向に所定の間隔で配置された一対の壁部３９および壁部３９と、機体左右方向に対し直交する姿勢でこれら壁部３９，３９の奥側縁部同士を結ぶ壁部４０と、水平姿勢で壁部３９，３９，４０の下端縁部同士を結ぶ底部４１とを有しており、収納袋３０の取り出し手前側となる図示略の側部扉側に開口部４２を有している。これにより、収納袋収容部３５を主体的に構成する壁部３９，３９，４０は、全体として平面視コ字状をなしている。そして、壁部３９，３９の壁部４０とは反対の底部４１側には、開口部４２の下部を一部閉塞して、収納袋３０の下部の取り出し手前側への移動を規制する規制壁部４３が配設されている。
【００２９】
収納袋支持部３４は、図３および図４に示すように、収納袋３０を係止するためのベース４７を有している。このベース４７は、収納袋収容部３５の上部に取り付けられる複数の取付部４８と、これら取付部４８が収納袋収容部３５に取り付けられた状態で、一対の壁部３９，３９の内側にこれらと平行をなして設けられて収納袋収容部３５よりも上方に突出する一対の係止板部５２および係止板部５２と、一対の係止板部５２，５２の奥側縁部同士を結ぶことで壁部４０よりも開口部４２に壁部４０と平行に配置される係止板部５３とを有している。これにより、ベース４７は、収納袋収容部３５と同様、収納袋３０の取り出し手前側（図示略の側部扉側）に開口部５４を有している。ベース４７の一対の係止板部５２，５２は上端縁部が同一高さに形成される一方、係止板部５３は、これら係止板部５２，５２よりも若干高くなっている。これら係止板部５２，５２，５３は、壁部３９，３９，４０よりも一回り小さい平面視コ字状をなす係止部５５を構成しており、その開口部５４を収納袋保持部３４の開口部４２に連続させている。
【００３０】
そして、硬貨収納部２４ａにおける上部所定位置となる一の係止板部５２の下部には、収納袋３０に収納された硬貨の高さ位置を検出する磁気センサ（満杯検知手段）５８が取り付けられている。また、係止板部５２，５２，５３のそれぞれの外側には、それぞれの水平方向の中央にＩＣタグリーダ（装着状態検出手段）６０が取り付けられている。ＩＣタグリーダ６０は、近接所定範囲にあるＩＣタグを検出するものである。
【００３１】
収納袋支持部３４に取り付けられる上記した収納袋３０は、細長い形状をなしており、その長さ方向の一端部のみが開口する有底筒状をなしている。また、収納袋３０は、折り癖および縫製の位置により長さ方向に沿って見た場合の形状が一方向（以下、奥行き方向とする）に長くこれと直交する方向（以下、幅方向とする）に短い形状をなしている。このような収納袋３０は、開口側を上側にした姿勢で、その奥行き方向に沿って、開口部４２，５４を介して収納袋収容部３５およびベース４７の内側に挿入されることになる。そして、収納袋３０は、その開口側の端部が全周にわたって表側に折り返され、これにより形成される筒状の折返部６５が、係止板部５２，５２，５３の外側に配置されることで、ベース４７の係止板部５２，５２，５３つまり係止部５５に係止されることになる。
【００３２】
この係止状態で、収納袋３０は、その折返部６５が上記したように係止板部５２，５２，５３よりも外側に配置されることになり、折返部６５以外の主体部６６の折返部６５側の首部６７が係止板部５２，５２，５３の内側に配置される。なお、収納袋３０の折返部６５には、幅方向の両側と奥行き方向の両側とにＩＣタグ（装着状態検出手段）７０がそれぞれ埋設されており、収納袋３０の折返部６５が係止部５２，５２，５３に適正に係止された状態にあるとき、係止部５２，５２，５３に設けられたＩＣタグリーダ６０がそれぞれ近接するＩＣタグ７０を検出して情報を読み取ることになる。よって、ＩＣタグリーダ６０が、収納袋３０の開口側の折返部６５が硬貨収納部２４ａに適正に装着されているか否かを検出することになる。
【００３３】
収納袋支持部３４は、収納袋収容部３５よりも開口部４２とは反対奥側に壁部４０と平行に水平延在する姿勢で配置された揺動軸７５を有するヒンジ７６と、ヒンジ７６に取り付けられて揺動軸７５を中心に揺動する上蓋７８とを有している。この上蓋７８は、ベース４７側の揺動端位置へ揺動した図２〜図５に示す閉状態にあるとき、ベース４７に係止された収納袋３０を上側から覆うようにして水平に配置されることになり、図６に示すようにベース４７とは反対側の揺動端位置へ揺動した開状態にあるとき、ベース４７に係止された収納袋３０から全体として水平方向外側に離間する。
【００３４】
上蓋７８を上記した閉状態をもってさらに説明する。上蓋７８は、上記した揺動軸７５を有するヒンジ７６に取り付けられる取付板部８０と、揺動軸７５の軸線方向における取付板部８０の両端側から互いに平行に延出する一対の細長い延出板部８１および延出板部８１と、これら延出板部８１，８１のそれぞれと同一平面をなしてこれらとは反対側に上下に幅広の形状をなして延出する一対の側板部８２および側板部８２と、揺動軸７５と平行をなし鉛直に沿って一対の側板部８２，８２の延出板部８１，８１側の上部端縁部同士を結ぶ連結板部８３と、一対の側板部８２，８２の上端縁部同士を結ぶ水平に沿う上板部８４とを有している。
【００３５】
上板部８４には、平面視矩形状の開口部８６が形成されており、開口部８６の開口部４２側および壁部４０側に投入口ガイド８７，８８がそれぞれ固定されている。また、上蓋７８には、一対の側板部８２，８２のそれぞれの内側に、側板部８２，８２と平行をなして一対の矯正板部９１および矯正板部９１が配設されており、投入口ガイド８７，８８と矯正板部９１，９１とで一時貯留部２１ａから硬貨が投入される投入口８９が形成されている。また、一対の矯正板部９１，９１の揺動軸７５とは反対側には、これら矯正板部９１，９１の端縁部同士を上板部８４と直交するように結ぶ連結板部９２ａと、連結板部９２ａの上板部８４とは反対側から上板部８４から離れるほど揺動軸７５側に位置するように傾斜する傾斜板部９２ｂとからなる矯正板部９２が配設されている。近接する一側の側板部８２と矯正板部９１との距離は、近接する他側の側板部８２と矯正板部９１との距離と等距離となっている。一対の矯正板部９１，９１には、それぞれ、揺動軸７５とは反対側の下部に下方に突出する突出部９５が形成されており、揺動軸７５側の下部に、この突出部９５よりも上側にあって段差状をなす段差部９６が形成されている。矯正板部９１，９１，９２が、平面視コ字状をなす係止部５５の内側で一回り小さい逆向きの平面視コ字状をなす矯正部（矯正手段）９８を構成している。
【００３６】
ここで、上記した閉状態にあるとき、図５に示すように、上蓋７８の一方の側板部８２は、ベース４７の係止部５５の一方の係止板部５２の外側に配置されることになり、この係止板部５２に係止された収納袋３０の折返部６５を水平外側から覆う。同様に、上蓋７８の他方の側板部８２も、ベース４７の係止部５５の他方の係止板部５２の外側に配置されることになり、この係止板部５２に係止された収納袋３０の折返部６５を水平外側から覆う。加えて、上蓋７８の連結板部８３は、ベース４７の係止部５５の係止板部５３の外側に配置されることになり、この係止板部５３に係止された収納袋３０の折返部６５を水平外側から覆う。さらに、上蓋７８は、図３および図４に示すように、上板部８４が係止部５５に係止された収納袋３０の上端縁部の全体を覆う。加えて、上蓋７８の投入口ガイド８７，８８は、ベース４７の係止部５５の水平方向内側にあってその下端縁部が係止部５５の上端縁部よりも下側に位置することになり、その結果、係止部５５に係止された収納袋３０の開口内に入り込むことになって、収納袋３０の開口に投入口８９を連通させる。
【００３７】
また、上記した閉状態にあるとき、上蓋７８の矯正部９８の一方の矯正板部９１は、係止部５５の一方の係止板部５２の内側に近接配置されることになり、収納袋３０の首部６７のこの一方の係止板部５２の内側部分をこの一方の係止板部５２に近接させるように形状を略平面状に矯正して内側から覆う。同様に、上蓋７８の矯正部９８の他方の矯正板部９１は、係止部５５の他方の係止板部５２の内側に近接配置されることになり、収納袋３０の首部６７のこの他方の係止板部５２の内側部分をこの他方の係止板部５２に近接させるように形状を略平面状に矯正して内側から覆う。さらに、上蓋７８の矯正部９８の矯正板部９２は、係止部５５に係止された収納袋３０の首部６７の揺動軸７５とは反対側部分を略平面状に矯正して内側から覆う。なお、収納袋３０内の硬貨の満杯を検知する上記した磁気センサ５８を、この上蓋７８の矯正部９８に設けても良い。
【００３８】
なお、上記した閉状態にあるとき、図４に示すように、上蓋７８の矯正部９８の下端部近傍に、収納袋３０内の硬貨を検知する上記した磁気センサ５８が位置することになる。具体的には、矯正部９８の矯正板部９１の段差部９６側に、突出部９５よりも段差部９６側に一部突出し段差部９６に近接するように磁気センサ５８が配置されることになる。そして、このように矯正板部９１の直下に配置される磁気センサ５８が、収納袋３０内の硬貨を検知した状態になると、収納袋３０内に収納された硬貨の容量は、次の一の取引によって一時貯留部２１ａから受け渡される可能性がある最大限度量の硬貨、つまり一時貯留部２１ａで一時貯留可能な最大限度量の硬貨を、受け入れると硬貨を収納しきれない可能性がある状態となる。この状態が、収納袋３０内の硬貨が満杯となる満杯状態であり、磁気センサ５８はこの収納袋３０内の硬貨の満杯を検知する。言い換えれば、収納袋３０内の硬貨を磁気センサ５８が検知していなければ、磁気センサ５８で検知される直前の高さまで硬貨が収納袋３０に収納されていたとしても、次の一の取引によって一時貯留部２１ａから受け渡される可能性がある最大限度量の硬貨の硬貨を、収納袋３０から溢れさせることなく硬貨収納部２４ａに収納可能となっている（形態異常がない場合）。
【００３９】
ここで、収納袋３０を硬貨収納部２４ａに取り付ける際に、作業者は、まず、図６に示すように、上蓋７８を開状態とする。次に、収納袋３０を、開口側を上側にした姿勢で持ち、これをその奥行き方向に移動させて、開口部４２，５４を介して収納袋収容部３５およびベース４７の内側に挿入することになる。そして、収納袋３０の開口側の端部を全周にわたって表側に折り返すことで筒状の折返部６５を形成し、この折返部６５を係止部５５の係止板部５２，５２，５３の外側に被せる。これにより、収納袋３０がベース４７の係止部５５に係止されることになる。
【００４０】
次に、作業者は、上蓋７８を揺動させて閉じる。すると、図３〜図５に示すようにベース４７の平面視コ字状の係止部５５に係止された収納袋３０の首部６７の内側に、上蓋７８の矯正板部９１，９１，９２からなる、係止部５５とは逆向きの平面視コ字状の矯正部９８が入り込み、首部６７を強制的に広げる。これにより、収納袋３０の首部６７の内側の上部エリアＡに、所定量の硬貨を受け入れ可能なスペースを確保する。
【００４１】
ここで、このスペースによる収納袋３０の上部エリアＡの硬貨の収納容量は、上記したように、磁気センサ５８で収納袋３０内の硬貨を検知しない状態にあれば、磁気センサ５８で検知される直前の高さまで硬貨が収納袋３０に収納されていたとしても、次の一の取引によって一時貯留部１２ａから受け渡される可能性がある、少なくとも一の取引における最大限度量の硬貨を、収納袋３０から溢れさせることなく確実に収納可能な容量である。つまり、収納袋３０の装着時に連係して行われる上蓋７８の閉作動で、上蓋７８の矯正部９８が、収納袋３０の上部エリアＡの形状を矯正して上部エリアＡ内に少なくとも一の取引における硬貨の最大限度収納容量を確保する。
【００４２】
なお、ベース４７には、上蓋７８の開閉状態を検出する図示略の開閉センサが設けられており、開閉センサで上蓋７８が閉状態にあることが検出されると、図示略の制御部は、すべてのＩＣタグリーダ６０でＩＣタグ７０を検出する状態にあるか否かを判定し、すべてのＩＣタグリーダ６０でＩＣタグ７０を検出する状態にない場合、つまりＩＣタグリーダ６０の少なくともいずれか一つでＩＣタグ７０を検出しない状態にある場合、図示略の表示部および音声発生部により収納袋３０のセット異常を示すエラー報知を行う。これにより、収納袋３０の再セットが行われることになる。
【００４３】
以上に述べた本実施形態に係る硬貨処理機１によれば、変形容易な収納袋３０を硬貨収納部２４ａに装着すると、図６に示すように収納袋３０に例えば捻った状態で装着される等しその収納エリアが狭いまま装着される形態異常があったとしても、矯正部９８が、収納袋３０の上部エリアＡの形状を矯正して上部エリアＡ内に少なくとも一の取引における硬貨の最大限度収納容量を確保することになる。このように収納袋３０の上部エリアＡ内に少なくとも一の取引における硬貨の最大限度収納容量を保証するため、磁気センサ５８で収納袋３０内の硬貨の満杯が検知されない状態にあれば、満杯が検知される寸前の状態から、次の一の取引で最大限度収納容量の硬貨を収納袋３０に収納する場合であっても、硬貨が収納袋３０から溢れ出てしまうことを防止できる。つまり、磁気センサ５８で収納袋３０内の硬貨の満杯が検知されない状態にあれば、硬貨の適正な収納を確実に保証できる。その結果、収納袋３０から硬貨が溢れ出た場合にセキュリティ上の観点から必要であった、硬貨処理機の保守員もしくは硬貨の回収担当者によるリカバリー処理が不要となり、円滑な運用が可能になる。
【００４４】
また、収納袋３０内の硬貨を検知する磁気センサ５８で収納袋３０内の硬貨の満杯状態を検知するため、形状が一定しない収納袋３０に対しても良好に硬貨の満杯状態を検知することができる。しかも、磁気センサ５８が矯正部９８の下端部近傍に配設されるため、矯正部９８で磁気センサ５８の近傍位置まで収納袋３０の形状を矯正できて、磁気センサ５８近傍の収納袋３０の形状を略一定にすることができ、その結果、磁気センサ５８で一層確実に硬貨を検出することができる。
【００４５】
また、収納袋３０の硬貨収納部２４ａへの装着時に、一連の装着作業として必要な上蓋７８の閉操作を行い、ベース４７に係止された収納袋３０を上側から上蓋７８で覆うと、この上蓋７８に配設された矯正部９８が、収納袋３０の上部エリアＡの形状を広げるように矯正することになる。よって、矯正部９８による収納袋３０の矯正を、簡易に、収納袋３０の硬貨収納部２４ａへの装着に連係させることができる。
【００４６】
また、収納袋３０のＩＣタグ７０とベース４７に設けられたＩＣタグリーダ６０とによって、収納袋３０の開口側が硬貨収納部２４ａに適正に装着されているか否かを検出することができるため、装着の異常によって、硬貨が収納袋３０に収納されずに、外に落下する等を防止できる。
【００４７】
勿論、他の硬貨収納部２４ｂ〜２４ｆも同様の構成を採用しており、同様の効果を奏することができる。
【００４８】
なお、以上の実施形態においては、収納袋３０の上部エリアＡに確保する一の取引における硬貨の最大限度収納容量を、直上流の一時貯留部２１ａの最大収納容量と同等に設定したが、ホッパ６の最大収納容量と同等に設定しても良い。
【００４９】
また、上蓋７８を揺動させるのではなく、硬貨収納部２４ａから着脱する構造としても良い。
【００５０】
また、硬貨収納部２４ａ〜２４ｆに金種別に硬貨を収納するのではなく、それぞれに金種混合で硬貨を収納する場合にも適用可能である。
【符号の説明】
【００５１】
１  硬貨処理機
２４ａ〜２４ｆ  硬貨収納部
３０  収納袋
４７  ベース
５８  磁気センサ（満杯検知手段）
６０  ＩＣタグリーダ（装着状態検出手段）
７０  ＩＣタグ（装着状態検出手段）
７８  上蓋
８９  投入口
９８  矯正部（矯正手段）
【図１】
2011022717.tif 000003
【図２】
2011022717.tif 000004
【図３】
2011022717.tif 000005
【図４】
2011022717.tif 000006
【図５】
2011022717.tif 000007
【図６】
2011022717.tif 000008